(57)【要約】【課題】様々な回転位置に設置可能な補助テーブルの有効利用によりキッチンスペースの効率的な活用を図ることができ、且つ通常の高さの椅子を用いた楽な姿勢で補助テーブル上の作業を行うことのできるアイランド型のキッチン。【解決手段】加熱調理器（１）が設けられたメインカウンター（２）と、メインカウンターの下側において所定回転軸線（Ｒ１）を中心として回転可能な補助テーブル（３）とを備えている。メインカウンターの上面と補助テーブルの上面との間には、メインカウンターに加熱調理器を組み込むための所要距離が確保されている。また、メインカウンターの側縁には補助テーブルの上面の高さ位置近傍まで延びる垂れ壁部（２ａ）が設けられ、この垂れ壁部にはコンセント（２ｂ）が設けられている。【選択図】  図２
2005006933.tif 000002
【特許請求の範囲】
【請求項１】
アイランド型のキッチンにおいて、
加熱調理器が設けられたメインカウンターと、
前記メインカウンターの下側において所定回転軸線を中心として回転可能な補助テーブルとを備え、
前記メインカウンターの上面と前記補助テーブルの上面との間には、前記メインカウンターに前記加熱調理器を組み込むための所要距離が確保されていることを特徴とするキッチン。
【請求項２】
前記メインカウンターの側縁には前記補助テーブルの上面の高さ位置近傍まで延びる垂れ壁部が設けられ、該垂れ壁部にはコンセントが設けられていることを特徴とする請求項１に記載のキッチン。
【請求項３】
前記メインカウンターの側縁には前記補助テーブルの上面の高さ位置近傍まで延びる垂れ壁部が設けられ、該垂れ壁部には電気機器の操作部が設けられていることを特徴とする請求項１または２に記載のキッチン。
【請求項４】
前記メインカウンターは調理作業に適した高さを有し、
前記補助テーブルは椅子に座った状態での食事に適した高さを有することを特徴とする請求項１乃至３のいずれか１項に記載のキッチン。
【発明の詳細な説明】
【０００１】
【発明の属する技術分野】
本発明は、アイランド型のキッチンに関するものである。
【０００２】
【従来の技術】
従来、壁に接することなく設置されるアイランド型のキッチンが知られている。このタイプのキッチンでは、アクセス自由度が高い点が特徴であり、この高いアクセス自由度を有効利用するには周囲に比較的大きなスペースが必要になる。したがって、例えば６畳間にアイランド型のキッチンを設置する場合には、キッチンスペースの効率的な活用を図ることが重要である。
【０００３】
特開平５−２８５０１８号公報には、キッチンスペースの効率的な活用を図ることのできるアイランド型のキッチンが提案されている。この公報に開示された構成では、カウンターが所定の回転軸線を中心として回転可能に構成され、上記回転軸線を中心とする円柱部の上端には円形状のシンクが設けられている。なお、補助テーブルとしてのカウンターは、加熱調理器を備えたメインカウンターよりも上側に設けられている。
【０００４】
【特許文献１】
特開平５−２８５０１８号公報
【０００５】
【発明が解決しようとする課題】
上述の公報に開示された従来のアイランド型のキッチンでは、様々な回転位置に設置可能な補助テーブル（カウンター）の有効利用によりキッチンスペースの効率的な活用を図ることができる。しかしながら、従来技術では、補助テーブルとしてのカウンターがメインカウンターよりも上側に設けられているので、調理作業に適した高さを有するメインカウンターよりも補助テーブルのほうが高くなり、通常の高さの椅子を用いた楽な姿勢で補助テーブル上の作業（食事を含む）を行うことができないという不都合があった。
【０００６】
本発明は、前述の課題に鑑みてなされたものであり、様々な回転位置に設置可能な補助テーブルの有効利用によりキッチンスペースの効率的な活用を図ることができ、且つ通常の高さの椅子を用いた楽な姿勢で補助テーブル上の作業を行うことのできるアイランド型のキッチンを提供することを目的とする。
【０００７】
【課題を解決するための手段】
前記課題を解決するために、本発明では、アイランド型のキッチンにおいて、
加熱調理器が設けられたメインカウンターと、
前記メインカウンターの下側において所定回転軸線を中心として回転可能な補助テーブルとを備え、
前記メインカウンターの上面と前記補助テーブルの上面との間には、前記メインカウンターに前記加熱調理器を組み込むための所要距離が確保されていることを特徴とするキッチンを提供する。
【０００８】
本発明の好ましい態様によれば、前記メインカウンターの側縁には前記補助テーブルの上面の高さ位置近傍まで延びる垂れ壁部が設けられ、該垂れ壁部にはコンセントが設けられている。また、前記メインカウンターの側縁には前記補助テーブルの上面の高さ位置近傍まで延びる垂れ壁部が設けられ、該垂れ壁部には電気機器の操作部が設けられていることが好ましい。また、前記メインカウンターは調理作業に適した高さを有し、前記補助テーブルは椅子に座った状態での食事に適した高さを有することが好ましい。
【０００９】
【発明の実施の形態】
本発明にかかるアイランド型のキッチンは、加熱調理器が設けられたメインカウンターの下側において所定回転軸線を中心として回転可能な補助テーブルを備えている。そして、メインカウンターの上面と補助テーブルの上面との間には、例えばＩＨのような加熱調理器をメインカウンターに組み込むための所要距離が確保されている。
【００１０】
このように、本発明では、補助テーブルの上面がメインカウンターの上面よりも加熱調理器をメインカウンターに組み込むための所要距離だけ下側に設定されているので、調理作業に適した高さ（たとえば８００ｍｍ〜９００ｍｍ：標準的には８５０ｍｍ）を有するメインカウンターよりも補助テーブルの方がかなり低くなる。その結果、通常の高さの椅子を用いても、楽な姿勢で補助テーブル上の作業を行うことができる。
【００１１】
こうして、本発明にかかるアイランド型のキッチンでは、様々な回転位置に設置可能な補助テーブルを有効利用することによりキッチンスペースの効率的な活用を図ることができるだけでなく、通常の高さの椅子を用いた楽な姿勢で補助テーブル上の作業を行うことができる。
【００１２】
なお、本発明では、メインカウンターの側縁に補助テーブルの上面の高さ位置近傍まで延びる垂れ壁部が設けられ、この垂れ壁部にはコンセントや電気機器の操作部が設けられていることが好ましい。この構成により、たとえばメインカウンターに隣接させた補助テーブル上で様々な電気器具を用いる場合に、上記コンセントから電力を容易に得ることができ、補助テーブルの利便性がさらに向上する。
【００１３】
また、本発明では、メインカウンターは調理作業に適した高さを有し、補助テーブルは椅子に座った状態での食事に適した高さを有することが好ましい。この構成により、補助テーブルの高さはたとえば７００ｍｍ程度に設定されることになるので、食事に限定されることなく補助テーブル上での様々な作業を、通常の高さの椅子を用いて楽な姿勢で確実に行うことができる。
【００１４】
本発明の実施形態を、添付図面に基づいて説明する。
図１は、本発明の実施形態にかかるアイランド型のキッチンの構成を概略的に示す図であって、（ａ）は正面図を、（ｂ）は側面図をそれぞれ示している。また、図２は、本実施形態のアイランド型キッチンの構成を概略的に示す図であって、（ａ）は上面図を、（ｂ）は（ａ）の線Ａ−Ａに沿った断面図をそれぞれ示している。
【００１５】
また、図３は、シンク、メインカウンター、ダイニングテーブル、サブテーブル、および回転式収納部と円柱部の本体構造との係合を概略的に示す図である。また、図４は、本実施形態のアイランド型キッチンにおける電力供給経路、給水経路、給湯経路、排水経路などを説明する図である。また、図５は、本実施形態のアイランド型キッチンの典型的な利用状態を概略的に示す図である。
【００１６】
図１および図２を参照すると、本実施形態のアイランド型キッチンは、たとえばＩＨのような加熱調理器１が設けられたメインカウンター２と、メインカウンター２の一端近傍に位置する第１回転軸線Ｒ１を中心として回転可能なダイニングテーブル（補助テーブル）３と、同じく第１回転軸線Ｒ１を中心として回転可能なサブテーブル（第２補助テーブル）４と、第１回転軸線Ｒ１を中心とする円柱部５とを備えている。
【００１７】
図３を参照すると、メインカウンター２の一端は、円柱部５の本体構造５ａの上端に対して固定的に取り付けられている。その結果、メインカウンター２の一端は円柱部５によって支持され、その他端は例えば円弧状の断面を有する脚部２ａによって支持されている。また、メインカウンター２の下側に設けられたダイニングテーブル３の一端には円形状の開口部が形成され、この円形開口部が円柱部５の本体構造５ａに対して回転自在に取り付けられている。
【００１８】
その結果、ダイニングテーブル３の一端は第１回転軸線Ｒ１を中心として回転自在に円柱部５によって支持され、その他端は例えばキャスター付きの脚部３ａによって支持されている。また、サブテーブル４の一端にも円形状の開口部が形成され、この円形開口部が円柱部５の本体構造５ａに対して回転自在に取り付けられている。その結果、サブテーブル４の一端は、第１回転軸線Ｒ１を中心として回転自在に、円柱部５によってキャンチレバー形態で支持されている。
【００１９】
ここで、メインカウンター２の上面と補助テーブルとしてのダイニングテーブル３の上面との間には、メインカウンター２に加熱調理器１を組み込むための所要距離が確保されている。また、メインカウンター２の側縁にダイニングテーブル３の上面の高さ位置近傍まで延びる垂れ壁部（垂直壁部または傾斜壁部）２ａが設けられ、この垂れ壁部２ａには、コンセント２ｂ、照明器具やレンジフードのような電気機器のための操作部（スイッチなど）２ｃが設けられている。また、メインカウンター２は調理作業に適した高さ（たとえば８５０ｍｍ）を有し、ダイニングテーブル３は通常の高さの椅子に座った状態での食事に適した高さ（たとえば７００ｍｍ）を有する。
【００２０】
また、本実施形態のアイランド型キッチンは、円柱部５に組み込み可能な円筒状の形態を有し且つ第１回転軸線Ｒ１とは実質的に異なる第２回転軸線Ｒ２を中心として回転可能な回転式収納部６を備えている。ここで、第２回転軸線Ｒ２は、図３で明瞭に示すように、回転式収納部６の外周近傍に設定されている。なお、回転式収納部６の内部には、たとえば食器洗浄機が設置されている。
【００２１】
また、円柱部５の上端には円形状のシンク７が設けられ、円柱部５の下端には配管収納部８が設けられている。シンク７の近傍には、水栓９が設けられている。図３を参照すると、水栓９は、円形状のリング部材９ａ（図３では断面だけを示す）と、リング部材９ａに固定された水栓本体９ｂとにより構成されている。ここで、リング部材９ａはシンク７の周囲に回転自在に取り付けられているので、水栓本体９ｂはシンク７の外周に沿って移動可能である。
【００２２】
図４を参照すると、配管収納部８の内部には、たとえば制御ユニット８ａが設けられている。制御ユニット８ａには、給水管８ｂを介して常温水が供給され、給湯管８ｃを介して熱水が供給される。たとえば水栓本体９ｂからの指令により制御ユニット８ａを介して混合され温度調整された温水は、たとえば制御ユニット８ａからリング部材９ａを貫通して水栓本体９ｂに達するシャワーホース８ｄを介して、水栓９に供給される。ただし、制御ユニット８ａを用いることなく、給水管８ｂおよび給湯管８ｃを水栓本体９ｂに直接接続することもできる。
【００２３】
また、たとえばＩＨのような加熱調理器１には、電気配線８ｅを介して電力が供給される。さらに、シンク７からの排水は、たとえば鉛直方向に延びた排水管８ｆを介して、キッチンの外部へ導かれる。シャワーホース８ｄ、電気配線８ｅおよび排水管８ｆは、たとえば図４に示すように、円柱部５の本体構造５ａを鉛直方向に貫通する形態で配設される。
【００２４】
本実施形態では、上述したように、補助テーブルとしてのダイニングテーブル３の上面が、メインカウンター２の上面よりも、加熱調理器１をメインカウンター２に組み込むための所要距離だけ下側に設定されている。したがって、調理作業に適した高さを有するメインカウンター２よりもダイニングテーブル３の方が、たとえば１５０ｍｍ程度低くなる。その結果、本実施形態では、通常の高さの椅子を用いても、楽な姿勢でダイニングテーブル３上での食事やその他の作業を行うことができる。
【００２５】
また、本実施形態では、メインカウンター２の側縁にダイニングテーブル３の上面の高さ位置近傍まで延びる垂れ壁部２ａが設けられ、この垂れ壁部２ａにコンセント２ｂや電気機器操作部２ｃが設けられている。したがって、たとえばメインカウンター２に隣接させたダイニングテーブル３（図５（ａ）の状態を参照）上で様々な電気器具を用いる場合に、コンセント２ｂから電力を容易に得ることができ、ダイニングテーブル３の利便性が非常に高い。
【００２６】
また、本実施形態では、図５に示すように、様々な回転位置に設置可能なダイニングテーブル（補助テーブル）３およびサブテーブル（第２補助テーブル）４を有効利用することにより、キッチンスペースの効率的な活用を図ることができる。なお、図５では例えば朝食時において採用可能な配置例（ａ）、および例えば夕食時（あるいはパーティ時）において採用可能な配置例（ｂ）を示しているが、これに限定されることなく、様々な配置例が可能である。
【００２７】
また、本実施形態では、回転式収納部６が円柱部５に組み込まれた状態から、第２回転軸線Ｒ２を中心として回転式収納部６を適宜回転させることにより、回転式収納部５が円柱部５から横方向へ部分的に突出し、この突出部分において回転式収納部６が上方へ開口した状態になる。その結果、回転式収納部６の内部に設置された食器洗浄機に洗浄すべき食器などを収納したり食器洗浄機から洗浄済みの食器などを取り出したりする際に、横方向から回転式収納部６にアクセスして窮屈な姿勢をとる必要がなく、たとえば上方から回転式収納部６にアクセスして楽な姿勢で収納作業および取出作業を行うことができる。
【００２８】
特に、本実施形態では、第２回転軸線Ｒ２が回転式収納部６の外周近傍に設定されているので、第２回転軸線Ｒ２を中心として回転式収納部６を回転させることにより、回転式収納部６の比較的大きな部分が円柱部５から横方向へ突出して上方へ開口した状態になり、回転式収納部６に対する収納作業および取出作業がさらに容易である。
【００２９】
また、本実施形態では、円柱部５の上端にシンク７を設ける構成を採用しているので、アクセス自由度が高く使い勝手の良い位置にシンク７を設置することができる。また、本実施形態では、円柱部５の下端に配管収納部８を設ける構成を採用しているので、回転式収納部６を円柱部５から部分的に横方向へ突出させた状態で、たとえば上方から配管収納部８にアクセスして楽な姿勢で配管などのメンテナンス作業を行うことができる。
【００３０】
また、本実施形態では、上述したように、水栓本体９ｂ（ひいては水栓９）が、円形状シンク７の外周の所定範囲に亘って移動可能に構成されている。したがって、補助テーブルとしてのダイニングテーブル３の回転位置（図５を参照）に応じて、水栓本体９ｂを円形状シンク７の外周に沿って適宜移動させることにより、所望の方向から楽な姿勢で水栓９を使用することができる。
【００３１】
【発明の効果】
以上説明したように、本発明では、補助テーブルの上面がメインカウンターの上面よりも加熱調理器をメインカウンターに組み込むための所要距離だけ下側に設定されているので、調理作業に適した高さを有するメインカウンターよりも補助テーブルの方がかなり低くなる。その結果、通常の高さの椅子を用いても、楽な姿勢で補助テーブル上の作業を行うことができる。
【００３２】
こうして、本発明にかかるアイランド型のキッチンでは、様々な回転位置に設置可能な補助テーブルを有効利用することによりキッチンスペースの効率的な活用を図ることができるだけでなく、通常の高さの椅子を用いた楽な姿勢で補助テーブル上の作業を行うことができる。
【００３３】
また、本発明では、メインカウンターの側縁に補助テーブルの上面の高さ位置近傍まで延びる垂れ壁部を設け、この垂れ壁部にコンセントや電気機器の操作部を設ける構成を採用することにより、たとえばメインカウンターに隣接させた補助テーブル上で様々な電気器具を用いる場合に、上記コンセントから電力を容易に得ることができ、補助テーブルの利便性がさらに向上する。
【００３４】
また、本発明では、メインカウンターが調理作業に適した高さを有し且つ補助テーブルが椅子に座った状態での食事に適した高さを有する構成を採用することにより、補助テーブルの高さがたとえば７００ｍｍ程度に設定されることになるので、食事に限定されることなく補助テーブル上での様々な作業を、通常の高さの椅子を用いて楽な姿勢で確実に行うことができる。
【図面の簡単な説明】
【図１】本発明の実施形態にかかるアイランド型のキッチンの構成を概略的に示す図であって、（ａ）は正面図を、（ｂ）は側面図をそれぞれ示している。
【図２】本実施形態のアイランド型キッチンの構成を概略的に示す図であって、（ａ）は上面図を、（ｂ）は（ａ）の線Ａ−Ａに沿った断面図をそれぞれ示している。
【図３】シンク、メインカウンター、ダイニングテーブル、サブテーブル、および回転式収納部と円柱部の本体構造との係合を概略的に示す図である。
【図４】本実施形態のアイランド型キッチンにおける電力供給経路、給水経路、給湯経路、排水経路などを説明する図である。
【図５】本実施形態のアイランド型キッチンの典型的な利用状態を概略的に示す図である。
【符号の説明】
１  加熱調理器（ＩＨ）
２  メインカウンター
２ａ  垂れ壁部
２ｂ  コンセント
３  ダイニングテーブル（補助テーブル）
４  サブテーブル（第２補助テーブル）
５  円柱部
５ａ  円柱部の本体構造
６  回転式収納部
７  シンク
８  配管収納部
９  水栓
【図１】
2005006933.tif 000003
【図２】
2005006933.tif 000004
【図３】
2005006933.tif 000005
【図４】
2005006933.tif 000006
【図５】
2005006933.tif 000007